(57)【要約】【課題】  可撓性ディスクが落下することのない軽量小型の可撓性ディスク用トレイを提供する。【解決手段】  トレイの開口部１１に開口の外周部から突出した部位１２ａ〜１２ｄを形成することにより、トレイの開口部１１からシート状媒体が落下することを防止する。【選択図】  図１
2006331583.tif 000002
【特許請求の範囲】
【請求項１】
シート状の可撓性ディスクを保持する可撓性ディスク用トレイにおいて、
前記可撓性ディスクを保持する領域に開口部を有する薄板部材を備え、前記開口部は、前記薄板部材の上面側の形状が前記可撓性ディスクの直径より僅かに大きな直径の円形形状であり、前記薄板部材の下面側の形状が前記可撓性ディスクの直径より僅かに小さな直径の円形開口の外周部の少なくとも２箇所から当該円形開口の中心に向かって延びる突出部を有する形状であることを特徴とする可撓性ディスク用トレイ。
【請求項２】
請求項１記載の可撓性ディスク用トレイにおいて、前記突出部の突出長さが前記可撓性ディスクの半径の１５％以上であることを特徴とする可撓性ディスク用トレイ。
【請求項３】
請求項２記載の可撓性ディスク用トレイにおいて、前記突出部は前記円形開口の外周部の４箇所から当該円形開口の中心に向かって延びていることを特徴とする可撓性ディスク用トレイ。
【請求項４】
請求項２又は３記載の可撓性ディスク用トレイにおいて、前記円形開口の外周部の対向する位置から延びている２つの突出部が前記円形開口の中心で結合していることを特徴とする可撓性ディスク用トレイ。
【発明の詳細な説明】
【技術分野】
【０００１】
本発明は、複数のディスク状情報記録媒体を格納するカートリッジに関し、特に可撓性ディスクを保持してカートリッジに格納するためのトレイ（皿状の容器）に関するものである。
【背景技術】
【０００２】
近年、大容量データを高速で通信したり保存したりするニースが高まり、さまざまな記録再生方式の間で技術競争が激しく行われている。このような状況において、光記録を用いた情報記録媒体での高記録密度化の進展も著しく、中でも新たに小型のカートリッジに複数枚の記録媒体を格納することによりカートリッジの記録容量を飛躍的に増大させようとする技術が開発されている。
【０００３】
【特許文献１】特願２００３−４１６２２７号公報
【発明の開示】
【発明が解決しようとする課題】
【０００４】
カートリッジに複数枚のディスクを格納する方法には、全枚数のディスクを一括して格納する方法と、ディスクを1枚ずつトレイに載せてカートリッジに格納する方法がある。トレイは、重さを軽くし、材料費を低減するため、トレイとしての機械的強度を実現できる最小限の材料で作成される。このため、開口部を大きくとり、ディスクをトレイに置く為の台座部分の面積をなるべく小さくする構造がとられている。
【０００５】
このようなトレイにおいては、剛性の高いディスクの場合は、操作中にディスクがトレイから落下するということはなかった。しかし、薄くて可撓性のあるディスクを従来型のトレイに収容すると、外部からの振動などによってディスクがトレイの開口部から落下するという問題が生じることが分かった。
【０００６】
本発明は、このような問題に対応すべくなされたもので、薄いシート状の可撓性ディスクを落下させることなく保持することのできる小型軽量のトレイを提供することを目的とする。
【課題を解決するための手段】
【０００７】
シート状の可撓性ディスクを保持する本発明の可撓性ディスク用トレイは、可撓性ディスクを保持する領域に開口部を有する薄板部材を備え、開口部は、薄板部材の上面側の形状が可撓性ディスクの直径より僅かに大きな直径の円形形状であり、薄板部材の下面側の形状が可撓性ディスクの直径より僅かに小さな直径の円形開口の外周部の少なくとも２箇所から当該円形開口の中心に向かって延びる突出部を有する形状である。突出部を少なくとも２箇所設けるのは、ディスクを支える箇所がディスクの縁の1箇所のみであるとディスクが落下してしまうため、ディスクの縁においてディスクを支える箇所を少なくとも2箇所設けることとした。突出部の突出長さは可撓性ディスクの半径の１５％以上であることがこのましい。
【発明の効果】
【０００８】
本発明によると、可撓性ディスクが落下することのない軽量小型の可撓性ディスク用トレイを提供することができる。
【発明を実施するための最良の形態】
【０００９】
以下、図面を参照して本発明の実施の形態を説明する。
本発明の可撓性ディスク用トレイに保持されるシート状の可撓性ディスクは、可撓性を有するシート材料に光記録膜をスパッタリングによって形成したものである。シートの材料は、例えば厚さ１００μｍのＰＥＴ（ポリエチレンテレフタレート）が用いられる。シート材料はＰＥＴ以外に、ＰＥＮ（ポリエチレンナフタレート）やＰＣ（ポリカーボネート）を用いる場合もある。可撓性ディスクの形状は直径１００ｍｍの円形とした。
【００１０】
図１は、本発明による可撓性ディスク用トレイの一実施例を示す上面図である。また、図２は、そのＡ−Ａ′断面図である。
【００１１】
可撓性ディスク用トレイは、ポリカーボネート、ＡＢＳ、ポリエチレン等のプラスチック材料を用いて製造する。本実施例の可撓性ディスク用トレイは、ポリカーボネートを用い、射出成型によって一体成形して作製した。可撓性ディスク用トレイ１０の外形は縦１１６ｍｍ、横１１６ｍｍの正方形であり、厚さは２ｍｍとした。トレイの内側には、上面側の直径が下面側の直径より大きくなるように階段状にくり抜かれたほぼ円形の開口部１１が設けられている。開口部１１の形状は、上面側が可撓性ディスクの形状より僅かに大きな直径１０２ｍｍの円形であり、下面側は可撓性ディスクの形状より僅かに小さな直径９５．０ｍｍの円形の開口の中心に向かって外周の４箇所から矩形領域１２ａ〜１２ｄ突出して設けられた形状を有する。開口部外周の階段状の部分（台座）１３は幅が２．０ｍｍであり、ここに円形の可撓性ディスクの縁部が載る。外周側から突出した領域１２ａ〜１２ｄの寸法は、それぞれ１２ｍｍ×１０ｍｍである。台座１３と突出領域１２ａ〜１２ｄの厚さは共に０．５ｍｍであり、上面は同じ高さで連続している。
【００１２】
図３は、図１に示したトレイにシート状の可撓性ディスク１５を１枚搭載した状態を示す上面図である。また、図４は、ディスクを搭載した状態の図３のＡ−Ａ′の断面図である。
【００１３】
本実施例の可撓性ディスク用トレイは、台座１３に加えて台座から突出した部分１２ａ〜１２ｄがあるために、可撓性を有する薄いシート状の可撓性ディスク１５を載せても、シート状可撓性ディスク１５がトレイの開口部１１から抜け落ちてしまうことがない。なお、突出した部分の形状は矩形以外でもシート状ディスクの脱落防止の目的を達成できる事は言うまでもない。
【００１４】
表１に、突出した部位の長さとディスクの脱落の関係を調べた結果を示す。実験は、各突き出し部の大きさで作製したトレイに、可撓性ディスクを搭載した後、図７に示すカートリッジにトレイをいれ、そのトレイの出し入れを１００回行なった。その際の出し入れ時の速度は、３秒／回とした。この１００回の中で、トレイからディスクが脱落した回数を測定した。
【００１５】
この結果、突き出し部の長さがディスク半径の１０％では、稀にシート状ディスクがトレイから脱落してしまうことがわかった。表１からマージンを考慮して、シート状ディスク半径の１５％以上の突き出しの長さであれば、シート状ディスクの脱落を防止する事ができることがわかる。
【００１６】
【表１】
2006331583.tif 000003
【００１７】
本発明に対する比較例１のトレイを図８に示す。比較例１のトレイ５０では、シート状ディスクを保持する部位が円周状に狭い台座領域５１で形成されている。台座領域５１の内側は開口部５２になっている。この場合、トレイ自体の重量は軽くでき、材料を少なくて済むため、コストの点で利点がある。また、基板厚さが１．２ｍｍ程度の現状のＣＤやＤＶＤのように剛性のあるディスクであれば、安定に保持することができる。しかし、シート状の可撓性ディスクの場合、開口部５２が大きいため、シート状ディスクが変形してトレイから脱落してしまう。
【００１８】
図９は、ディスクを保持する部位の面積を大きくした比較例２のトレイを示す図である。比較例２のトレイ６０は、中心部は開口部６２であるが、図１に示した本発明の可撓性ディスク用トレイに比べ、ディスクを保持する領域で突出した部位６１を円周上に大きな面積にわたって形成してある。このためシート状ディスクがトレイから脱落することはない。しかし、突出した部位が大きな面積を有しているため、トレイ自体の重さが増し、トレイを数十段積層するとカートリッジの重さが増大してしまう問題が生じる。またトレイを製造する際の材料が増えることからトレイの製造コストが増大する。
【００１９】
図５は、本発明による可撓性ディスク用トレイの他の例を示す平面図である。本実施例の可撓性ディスク用トレイ２０が図1に示した可撓性ディスク用トレイと異なるのは、外周側から突出した領域のうちの対向する２つが連絡して、開口部の円周に渡しをかける形状をしている点である。２箇所の突き出し部位２１ａ，２１ｃの大きさは、１２ｍｍ×１０ｍｍで、厚さは０．５ｍｍである。また水平に渡してある領域２１ｂは、幅を１０ｍｍ、厚みを０．５ｍｍとした。図示した例では、開口部の円周に渡しをかける領域が円の直径上にある形状であるが、形状は、これに限らないことはもちろんである。
【００２０】
図６は本発明による可撓性ディスク用トレイの他の実施例を示す図であり、図６（ａ）は平面図、図６（ｂ）はそのＡＡ’断面図である。本実施例の可撓性ディスク用トレイ３０は、中央の円形の開口部に網状部材３１を配置してある。網状の部材はプラスチック材料であればよく、本実施例では厚さ０．０５ｍｍのポリエチレンの網を用いた。網の目のサイズは、４ｍｍ角である。網の目は、本実施例のサイズに限らず、さらに粗い目または細かい網の目を用いてもよい。本実施例の可撓性ディスク用トレイは、トレイの枠の部分はポリカーボネートを射出成型で作製し、その枠に網を貼り付けたものである。台座は、設けなくてもよいが、台座があれば、その台座上に網を載せるだけで済むので製造は容易になる。
【００２１】
図７は、本発明の可撓性ディスク用トレイを複数段積層して収納したカートリッジの断面構造を示す図である。カートリッジ４０の内部において、上下の可撓性ディスク用トレイ収納場所の間にはカートリッジ筐体の仕切り板が配置してある。従って、他の可撓性ディスク用トレイに影響を与えることなく、カートリッジに対して所望のトレイ４１を出し入れすることができる。また、可撓性ディスク４２を保持した可撓性ディスク用トレイは、カートリッジ４０の仕切り板によってフタをされた状態となり、可撓性ディスク用トレイ４１から可撓性ディスク４２が脱落することがない。このためカートリッジ内にディスクを載せたトレイを複数枚収納してカートリッジを運搬する際に、カートリッジを上下左右に回転させても、ディスクはトレイから脱落することがない。
【００２２】
以上の実施例に示した構造を採用することにより、シート状の可撓性基板に記録膜を形成した可撓性ディスクが脱落することのない、軽量で低コストな可撓性ディスク用トレイを提供することができる。
【図面の簡単な説明】
【００２３】
【図１】本発明による可撓性ディスク用トレイの一例を示す平面図。
【図２】図１のＡ−Ａ′断面図。
【図３】可撓性ディスクをトレイに搭載した様子を示す平面図
【図４】図３のＡ−Ａ′断面図。
【図５】本発明による可撓性ディスク用トレイの他の例を示す平面図。
【図６】本発明による可撓性ディスク用トレイの他の例を示す図。
【図７】可撓性ディスクを搭載したトレイを複数枚格納したカートリッジの断面構成図。
【図８】比較例１のトレイを示す図。
【図９】比較例２のトレイを示す図。
【符号の説明】
【００２４】
１０：可撓性ディスク用トレイ、１１：開口部、１２ａ〜１２ｄ：矩形領域、１３：台座、１５：可撓性ディスク、２０：可撓性ディスク用トレイ、３０：可撓性ディスク用トレイ、３１：網状部材
【図１】
2006331583.tif 000004
【図２】
2006331583.tif 000005
【図３】
2006331583.tif 000006
【図４】
2006331583.tif 000007
【図５】
2006331583.tif 000008
【図６】
2006331583.tif 000009
【図７】
2006331583.tif 000010
【図８】
2006331583.tif 000011
【図９】
2006331583.tif 000012